(57)【要約】      （修正有）【課題】ベッドサイドテーブルに付いたフラップのあるドリンクホルダーがこぼれ物で汚れた時に、ドリンクホルダーをきれいに清掃することができるドリンクホルダー付きベッドサイドテーブルを提供する。【解決手段】ベッドサイドテーブル１４にドリンクホルダー用ホルダー２を固定し、ドリンクホルダーは、指掛け３を引っ張ることにより、またはドリンクホルダー用ホルダー２の底に穴を開けてドリンクホルダー２の底を押し上げることによりドリンクホルダー用ホルダー２から外し、上縁を押し下がることによりドリンクホルダー用ホルダー２に着けるという脱着手段を有する。【選択図】図１
0003217948.tif 000002
【実用新案登録請求の範囲】
【請求項１】
固定されたドリンクホルダー用ホルダーを有し、ドリンクホルダー用ホルダーの入り口に冠する鍔様の側を設け指掛け及び上縁を用いる脱着手段を有するドリンクホルダーのあるドリンクホルダー付きベッドサイドテーブル。
【請求項２】
固定され底に穴を開けたドリンクホルダー用ホルダーを有し、ドリンクホルダー用ホルダーの入り口に冠する鍔様の側を設け押し上げる底及び上縁を用いる脱着手段を有するドリンクホルダーのあるドリンクホルダー付きベッドサイドテーブル。
【考案の詳細な説明】
【技術分野】
【０００１】
本考案は、ドリンクホルダーを脱着できるベッドサイドテーブルに関するものである。
【背景技術】
【０００２】
ベッドサイドテーブルには、コップホルダーやドリンクホルダーが付いたものが考案されている。以下、コップホルダーおよびドリンクホルダーを包括してドリンクホルダーと呼ぶ。
ドリンクホルダーの内側のドリンクを置く底面および側面が遮断されているならば、内側がこぼれ物で汚れた場合に、清掃にはそれほど手間が掛からない。
【０００３】
しかし、コップやペットボトル等の保持を良くするためのフラップがある、ベッドサイドテーブルに付いたドリンクホルダーの場合には、フラップ器具がドリンクホルダーの内側に出入しているので、汚れた時にベッドサイドテーブルに付いたままのドリンクホルダーをきれいに清掃するのは難しい。
【先行技術文献】
【特許文献】
【０００４】
【特許文献１】特表２０１１−５２４２０６号公報
【特許文献２】実登３２１５６３６号公報
【考案の概要】
【考案が解決しようとする課題】
【０００５】
解決しようとする問題点は、ベッドサイドテーブルに付いたフラップのあるドリンクホルダーがこぼれ物で汚れた時に、ドリンクホルダーをきれいに清掃するのが難しいことである。
【課題を解決するための手段】
【０００６】
本考案は、フラップがあるドリンクホルダーをベッドサイドテーブルに固定されたドリンクホルダー用のホルダーに簡単に脱着できるようにすることを特徴とする。
【考案の効果】
【０００７】
本考案のドリンクホルダー付きベッドサイドテーブルは、フラップの付いたドリンクホルダーを簡単に脱着できるので、汚れた時にドリンクホルダーを丸ごと洗浄できて清掃の手間を大変省くことができる。
【図面の簡単な説明】
【０００８】
【図１】図１はベッドサイドテーブル固定ドリンクホルダー用ホルダーとドリンクホルダーの関係を表す斜視図である。
【図２】図２は指掛けのあるドリンクホルダー用のベッドサイドテーブル固定ドリンクホルダー用ホルダーの上面図である。
【図３】図３は指掛けのあるドリンクホルダーの上面図である。
【図４】図４は底に穴を開けたベッドサイド固定ドリンクホルダー用ホルダーの上面図である。
【図５】図５は底を押し上げて外すドリンクホルダーの上面図である。
【考案を実施するための形態】
【０００９】
ドリンクホルダーは、ベッドサイドテーブル固定ドリンクホルダー用ホルダーとの脱着手段を有し、ベッドサイドテーブル固定ドリンクホルダー用ホルダーの入り口に冠する鍔様の側１１を設ける。ドリンクホルダーの鍔様の側１１およびベッドサイドテーブル固定ドリンクホルダー用ホルダーの間にパッキンを用いると、汚すこととなる液の浸み込みの防止に有効である
【実施例１】
【００１０】
図２は、本考案におけるドリンクホルダー１を外す手段が指掛け３を用い引っ張ることによる場合のベッドサイドテーブル固定ドリンクホルダー用ホルダー２の上面図である。内側面下部にドリンクホルダー係止用の突起４を設けることもできる。
【００１１】
図３は、本考案における外し手段が指掛け３を用い引っ張ることによる場合のドリンクホルダー１の上面図である。ドリンクホルダーをベッドサイドテーブル固定ドリンクホルダー用ホルダー２に着けるには、上縁５を用い押し下げることによる。外側面下部に、係止用の突起４に合う係止用の窪み６を設けることもできる。
【実施例２】
【００１２】
図４は、本考案におけるドリンクホルダー７を外す手段が底を用い押し上げることによる場合の、底に穴８を開けたベッドサイドテーブル固定ドリンクホルダー用ホルダー９の上面図である。内側面下部にドリンクホルダー係止用の突起４を設けることもできる。
【００１３】
図５は、本考案における外し手段が底を用い押し上げることによる場合のドリンクホルダー７の上面図である。ドリンクホルダーをベッドサイドテーブル固定ドリンクホルダー用ホルダー９に着けるには、上縁１０を用い押し下げることによる。外側面下部に、係止用の突起４に合う係止用の窪み６を設けることもできる。
【産業上の利用可能性】
【００１４】
療養用にベッドサイドテーブルは普及しており、改良型の本考案は、産業で利用できるものである。
【符号の説明】
【００１５】
１    ドリンクホルダー
２    ベッドサイドテーブル固定ドリンクホルダー用ホルダー
３    指掛け
４    突起
５    上縁
６    窪み
７    ドリンクホルダー
８    穴
９    ベッドサイドテーブル固定ドリンクホルダー用ホルダー
１０    上縁
１１    鍔様の側
１２    フラップ
１３    フラップハウス
１４    ベッドサイドテーブル
【図１】
0003217948.tif 000003
【図２】
0003217948.tif 000004
【図３】
0003217948.tif 000005
【図４】
0003217948.tif 000006
【図５】
0003217948.tif 000007
【手続補正書】
【提出日】平成30年7月15日(2018.7.15)
【手続補正１】
【補正対象書類名】実用新案登録請求の範囲
【補正対象項目名】全文
【補正方法】変更
【補正の内容】
【実用新案登録請求の範囲】
【請求項１】
固定されたドリンクホルダー用ホルダーを有し、ドリンクホルダー用ホルダーの入り口に冠する鍔様の側を設け内側上部の指掛け及び上縁を用いる脱着手段を有しフラップがあるドリンクホルダーのあるドリンクホルダー付きベッドサイドテーブル。
【請求項２】
固定され底に穴を開けたドリンクホルダー用ホルダーを有し、ドリンクホルダー用ホルダーの入り口に冠する鍔様の側を設け押し上げる底及び上縁を用いる脱着手段を有しフラップがあるドリンクホルダーのあるドリンクホルダー付きベッドサイドテーブル。
【請求項３】
固定されたドリンクホルダー用ホルダーを有し、ドリンクホルダー用ホルダーの入り口に冠する鍔様の側があり脱着できてフラップがあるドリンクホルダーのあるドリンクホルダー付きベッドサイドテーブル。
【手続補正２】
【補正対象書類名】明細書
【補正対象項目名】０００８
【補正方法】変更
【補正の内容】
【０００８】
【図１】図１はベッドサイドテーブル固定ドリンクホルダー用ホルダーとドリンクホルダーの関係を表す斜視図である。
【図２】図２は内側上部の指掛けのあるドリンクホルダー用のベッドサイドテーブル固定ドリンクホルダー用ホルダーの上面図である。
【図３】図３は内側上部の指掛けのあるドリンクホルダーの上面図である。
【図４】図４は底に穴を開けたベッドサイドテーブル固定ドリンクホルダー用ホルダーの上面図である。
【図５】図５は底を押し上げて外すドリンクホルダーの上面図である。
【手続補正３】
【補正対象書類名】明細書
【補正対象項目名】００１５
【補正方法】変更
【補正の内容】
【００１５】
１    ドリンクホルダー
２    ベッドサイドテーブル固定ドリンクホルダー用ホルダー
３    内側上部の指掛け
４    突起
５    上縁
６    窪み
７    ドリンクホルダー
８    穴
９    ベッドサイドテーブル固定ドリンクホルダー用ホルダー
１０    上縁
１１    鍔様の側
１２    フラップ
１３    フラップハウス
１４    ベッドサイドテーブル